(57)【要約】      （修正有）【課題】最近急増している薄型テレビを家具に載置した場合、比較的小型のものはスタンドに載置されているが、薄型で重心が高いため、転倒の惧れがある。大型の場合は取付金具で背面を建物の壁面に固定しているが、現存の家屋に買い足した場合、重量の重い薄型テレビを壁面に簡単に、テレビボードに載置した位置で確実に壁面に固定できず、地震時は勿論、子供などが触れた場合でも安全性に問題があった。【解決手段】家具本体１の背部に支柱２、２を立設し、この支柱２、２間にボード３を装着し、家具本体１上に設置される薄型テレビ４の背部をこのボード３に固定するようにして、薄型テレビを設置する家具に薄型テレビを簡単かつ確実に保持させて安全性を確保する。【選択図】図１
2008173404.tif 000002
【特許請求の範囲】
【請求項１】
家具本体１の背部に支柱２、２を立設し、この支柱２、２間にボード３を装着し、家具本体１上に設置される薄型テレビ４の背部をこのボード３に固定するようにして成ることを特徴とする薄型テレビの転倒防止機能付き家具。
【請求項２】
ボード３が支柱２、２に上下移動自在に配置されたことを特徴とする請求項１に記載の薄型テレビの転倒防止機能付き家具。
【請求項３】
支柱２の上端が天井に保持されていることを特徴とする請求項１又は２に記載の薄型テレビの転倒防止機能付き家具。
【請求項４】
一対の支柱２、２の一方に対してボード３の一側３ａが枢支され、他方の支柱２にボード３の他側3ｂが前後移動可能に連結されていることを特徴とする請求項１乃至３に記載の薄型テレビの転倒防止機能付き家具。
【発明の詳細な説明】
【技術分野】
【０００１】
本発明は、最近急増してきた薄型テレビをテレビボードのような家具に簡単に転倒しないように設置することができる薄型テレビの転倒防止機能付き家具に関するものである。
【背景技術】
【０００２】
最近増えてきている薄型テレビは、例えばパソコン用やパーソナルタイプの小型のものは簡単な設置台にテレビの下部を保持して自立させているが、ある程度以上のサイズのものでは壁面などに設置用の取り付け枠を工事により設置し、その取り付け枠にテレビの背面を取り付けるようにしている。
【０００３】
また一般家庭ではいわゆるテレビボードのような家具のテレビ設置スペースにテレビを納めている。小型テレビであれば薄型の場合でも設置台のみで良いが、大型になると、転倒防止のために、壁面に上記の取り付け枠を工事で取り付け、それにテレビの背面を固定するようにしている。
【０００４】
しかしながら薄型とはいえ重量のある大型のテレビを固定する取り付け枠はねじくぎが効く箇所でないと取り付けができず、場所的に制約がある。テレビボードなどの家具を設置した場所でそのまま取り付け枠を設置できるとは限らず、取り付け枠を使えない場合は転倒する危険性が避けられず、対応が迫られている。
【発明の開示】
【発明が解決しようとする課題】
【０００５】
本発明は、薄型テレビの背面を簡単に固定してその転倒を防止した家具に関するものである。
【課題を解決するための手段】
【０００６】
本発明の主たる特徴は、家具本体１の背部に支柱２、２を立設し、この支柱２、２間にボード３を装着し、家具本体１上に設置された薄型テレビ４の背部をこのボード３に固定するようにしたことである。
【発明の効果】
【０００７】
本発明にあっては上述のように、家具本体１上に設置された薄型テレビ４の背部を、家具自体の背部に設置したボードに固定するようにしたから、家具背部の壁面の制約を受けることなく取り付け枠を確実強固にボードに取り付け、その取り付け枠にテレビの背部をしっかりと保持できるものであって、簡単かつ確実にその転倒を防止できる。
【０００８】
またボードを上下移動可能としておくと、小型はボードを下げ、大型ではボードを上に移動させることにより対応することができて、ボードを家具の背面全面に施す必要がない。
【０００９】
更に支柱の上端を天井に固定するようにしておくと、家具自体の耐震強度が向上するため、大地震の場合でも家具転倒に起因してテレビが家具より転倒することを防止できて安全性が一層向上する。
【００１０】
またボードを回動自在にしておくと、家具を部屋の隅に設置した場合に、ボードの一側を引き出すことによりテレビの画面を好ましい角度に設置できる。
【発明を実施するための最良の形態】
【００１１】
以下本発明を添付図面に基づき詳細に説明する。図１は本発明の基本的なローボードタイプの実施例を示すもので、家具本体１はＡＶ機器やその周辺小物を収納するための棚１０、キャビネット１１等を有し、天板１２上に薄型テレビ４が載置される。この家具本体１の背面には一対の支柱２、２が立設されていて、その支柱２、２間にボード３が装着される。ボード３は必要に応じて支柱２、２に上下移動可能に装着される。この場合、ボード３は支柱２、２に対して摺動自在にしても良いし、適宜高さでロックされるようにしても良い。１３はボード３に穿孔された配線用の通し孔である。
【００１２】
支柱２の家具本体１への装着は直接家具本体１の背部にねじ止め等で行うこともできるが、図示実施例では家具本体１の底部に納められる基台１４の奥端に立ち上げられた取り付け部１５に支柱２の下端を差し込んでねじ止めするようにしてある（図４参照）。支柱２にはレール１６が設けられ、パネル３をこのレール１６の保持するようにしてある。１７は基台１４の水平を調節するアジャスタである。
【００１３】
図２はハイタイプの例を示すもので、支柱２の上端は天井又は廻し縁１８に接続される。図３はコーナーに設置されるタイプで、ボード３は一方の支柱２に対して枢支される。この場合、一方の支柱２を回動自在に設置するか、或いは支柱２に対してボード３の一側３ａを枢支しても良い。ボード３の他側３ｂは他方の支柱２により連出された回動自在なアーム２０に前方へ移動自在に連結される。
【００１４】
薄型テレビ４の設置に当っては、テレビに付設の取付枠２１をパネル３に装着し、天板１２に載置された薄型テレビ４の背部をその取付枠２１に取付けるものである。この取付枠２１は任意のタイプがテレビに付設されているが、いずれのタイプでも対応できる。
【００１５】
一例を示すと、図５のようなものがある。図５の例では、取付枠２１は平行な２本以上の取付バー２２に２本以上のテレビ保持バー２３が垂直に装着されていて、取付バー２２の取付孔２４、長孔２５にビス２６を通してまず取付枠２１がボード３の目的とする箇所に取付ける。この場合、水平出しを行い、ビスの数は薄型テレビ４のサイズの応じて調整される。
【００１６】
次いで、薄型テレビ４の背部に取付金具２７を装着し、その取付金具２７をテレビ保持バー２３のだるま孔のような取付孔２８に挿入して下に下げて固定する。薄型テレビ４を本体やＡＶ機器、スピーカ、電源等の配線は予め接続しておき、通し孔１３に束ねて通しておけば良い。薄型テレビ４はこの状態で家具本体１の天板１２より浮かせて設置しても良いし、薄型テレビ４の下部をスタンド２９で保持して天板１２上に載置しても良い。また、キャスターを併用することもできる。
【００１７】
ボード３が上下動できるときは、ボード３の取り付け枠２１を装着しても薄型テレビ４の最適の高さに浮かせて設置できる。また大きなサイズの薄型テレビ４に対してもボード３を上方に移動させることにより取付枠２１の上下の取付位置を調節、対応できる。
【００１８】
更に、図３のようにボード３の一側３ａをせり出し可能としておくと、コーナーに据え置かれた家具本体１に薄型テレビ４を設置する場合でも、耐震性を確保した状態で画面を見易い角度に調整ができる。
【００１９】
またボード３を支持する支柱２の上端を天井に固着しておくと、超大型の薄型テレビ４であっても、十分な耐震強度を確保でき、この場合、ボード３を上下動自在にしておくと、設置できるサイズの幅が大きく確保できて、２０型前後の比較的小さなサイズから、５０型を超えるサイズまで無理なくスムーズに対応できる。
【産業上の利用可能性】
【００２０】
最近富みに増加してきている薄型テレビ、殊に大型の薄型テレビを比較的低いローボード等の家具本体の上に設置するに当たり、テレビを単にその付属スタンドで保持するだけではなく、家具本体に一体化して保持できるので、耐震強度が確保できることができる。
【００２１】
しかも、子供や年寄りが誤ってテレビに触れて前方への負荷が加わってもぐらついたり、倒れたりすることも防止することができるものであって、大型テレビを安全に設置できる。
【００２２】
また、ボードに釘やねじが十分に利くものを選べるので、壁に直接施工するもののように設置場所に制約を受けず、設置場所をユーザーの好みに自由に対応できる。更に、ボードは家具本体に設置されるので、ボードの背面から設置作業をしてから家具本体を据え置き設置することにより、作業性も向上することができる。
【図面の簡単な説明】
【００２３】
【図１】本発明の基本例の斜視図。
【図２】本発明の上端を天井に固定するタイプの斜視図。
【図３】本発明のコーナー設置タイプの斜視図。
【図４】本発明のボード部分の一例の一部を破断した斜視図。
【図５】本発明の薄型テレビの取付説明図。
【００２４】
符号の説明
１は家具本体
２は支柱
３はボード
３ａはボードの一側
３ｂはボードの他側
４は薄型テレビ
【図１】
2008173404.tif 000003
【図２】
2008173404.tif 000004
【図３】
2008173404.tif 000005
【図４】
2008173404.tif 000006
【図５】
2008173404.tif 000007